(57)【要約】【課題】  この発明は、デジタルビデオエンコーダ装置に周辺機器が接続されているか否か確実に検出できる装置を提供することをその目的とする。【解決手段】  この発明は、デジタル画像信号を入力し、アナログビデオ信号として出力するデジタルビデオエンコーダ装置において、デジタルアナログコンバータ（ＤＡＣ）１８からのビデオ信号をコンパレータ２１に入力し、コンパレータ２１にて垂直ブランキング期間のビデオ信号の水平同期信号レベルが一定レベル以下か否か判断し、この判断結果により、ビデオ信号出力端と周辺機器の接続の有無を検出する。【選択図】    図１
2005094399.tif 000002
【特許請求の範囲】
【請求項１】
デジタル画像信号を入力し、アナログビデオ信号として出力するビデオエンコーダ装置において、垂直ブランキング期間のビデオ信号の水平同期信号レベルが一定レベル以下か否か判断する判定回路を有し、この判定回路にてビデオ信号出力端と周辺機器の接続の有無を検出することを特徴とするデジタルビデオエンコーダ装置。
【請求項２】
前記判定回路の判定結果に基づき、デジタルビデオエンコーダ装置のパワーのオンオフ制御を行うことを特徴とするデジタルビデオエンコーダ装置。
【発明の詳細な説明】
【技術分野】
【０００１】
この発明は、デジタルビデオエンコーダ装置に係り、ジャックの接続点に周辺機器が接続されているか検出し、携帯用（電池駆動）のビデオ機器における電力節減機能を実現する装置に関するものである。
【背景技術】
【０００２】
デジタルビデオエンコーダは、デジタルの原色信号Ｒ、Ｇ、ＢやデジタルのＹ、Ｃｂ、Ｃｒ信号からデジタルのテレビジョン信号（この例では、輝度信号ＹＤ、クロマ信号（搬送色信号）ＣＤ、及び、コンポジット信号ＶＤの３つの信号）を生成し、この生成された輝度信号ＹＤ、クロマ信号ＣＤ、コンポジット信号ＶＤをデジタルアナログコンバータ（ＤＡＣ）で、アナログの輝度信号ＹＡ、クロマ信号ＣＡ、コンポジット信号ＶＡからなるアナログビデオ信号に変換して出力するものである。
【０００３】
デジタルカメラなどのビデオ機器本体で撮像したデジタルの画像信号をデジタルビデオエンコーダでアナログビデオ信号に変換し、これら信号を周辺機器であるモニターテレビで再生する。
【０００４】
ところで、ビデオ機器本体と着脱自在なビデオ周辺機器との間で、ビデオ信号等を送受するシステムにおいては、本体に周辺機器が接続されているかどうかを検出し、その検出状態に応じてデジタルビデオエンコーダ等の出力を制御することで消費電力を低減させることができる。特に、携帯用（電池駆動）のビデオ機器においては、電力節減は重要である。
【０００５】
ビデオ機器本体と着脱自在なビデオ周辺機器との間でビデオ信号等を送受するシステムにおいて、本体に周辺機器が接続されているかどうかを検出する回路が知られている（例えば、特許文献１参照）。
【０００６】
この種の検出回路は、図３に示すように、抵抗ＲＤと抵抗ＲＥ（＝２×ＲＤ）の接続点の電圧と抵抗ＲｔとコネクタＴｔの接続点の電圧とをコンパレータ１で比較することにより、コネクタＴｔの接続状態を検出する。コネクタＴｔに周辺機器が接続されると、コンパレータ１の出力がハイレベルになる。
【０００７】
上記した回路を用いて、ビデオエンコーダのビデオ出力端子にテレビが接続されているかどうかを判定することができる。即ち、ビデオエンコーダの端子にテレビ（ＴＶ）側の７５Ω（ＧＮＤ側に接続されている）に比べて十分大きな抵抗（１ＭΩ程度）を設け、電源にプルアップする。デジタルビデオエンコーダの端子にＴＶが接続された場合、デジタルビデオエンコーダの端子の電位はＴＶ側の７５Ω（ＧＮＤ側に接続されている）と抵抗の分圧比できまる電圧が発生する。その電圧変化を検出して、本体に周辺機器が接続されているかどうかを検出することができる。
【特許文献１】特開平６−３８１５０号公報
【発明の開示】
【発明が解決しようとする課題】
【０００８】
しかしながら、抵抗の分圧比できまる電圧変化を検出する構成では、デジタルビデオエンコーダ装置が、ビデオ信号を出力していない場合は、安定してテレビ接続の有無を安定して検出できる。しかし、ビデオ信号出力がされている場合には、信号レベルにより安定した検出ができないという問題があった。また、外付けに抵抗がいるなどシステム上での部品点数増加を招くという問題もあった。
【０００９】
この発明は、上述した問題点を解消するためになされたものにして、部品点数増加を招くことなく、デジタルビデオエンコーダ装置に周辺機器が接続されているか否か確実に検出できる装置を提供することをその目的とする。
【課題を解決するための手段】
【００１０】
この発明は、デジタル画像信号を入力し、アナログビデオ信号として出力するビデオエンコーダ装置において、垂直ブランキング期間のビデオ信号の水平同期信号レベルが一定レベル以下か否か判断する判定回路を有し、この判定回路にてビデオ信号出力端と周辺機器の接続の有無を検出することを特徴とする。
【００１１】
前記判定回路の判定結果に基づき、デジタルビデオエンコーダ装置のパワーのオンオフ制御を行うように構成すればよい。
【００１２】
上記のように、この発明のジャックの接続点に周辺機器のフラグが接続されているか否かを判定する。接続の有無を判定した場合には、デジタルビデオエンコーダをＯＮ／ＯＦＦ制御し、消費電力削減をはかることができる。
【発明の効果】
【００１３】
この発明によれば、追加の部品等なしに安定したテレビ接続検出機能が実現可能であり、電池で動作するビデオ機器等、特に消費電流削減が必要な機器のパワーコントロール機能を実現可能にする。
【発明を実施するための最良の形態】
【００１４】
以下、この発明の実施例につき図面を参照して説明する。図１は、この発明の実施に形態にかかるデジタルビデオエンコーダ装置のブロック図である。
【００１５】
エンコーダ部について説明する。デジタルの原色信号Ｒ、Ｇ、ＢやデジタルのＹ、Ｃｂ、Ｃｒ信号がインターフェース回路１０から輝度信号及び色差信号形成回路１１に与えられる。この輝度信号及び色差信号形成回路１１は、デジタルビデオエンコーダに入力されるデジタルの３つの原色信号Ｒ、Ｇ、ＢまたはにＹ、Ｃｂ、Ｃｒ信号基づいてデジタルの輝度信号Ｙ、及び、Ｒ−Ｙ信号（Ｖ信号）、Ｂ−Ｙ信号（Ｕ信号）を形成する。
【００１６】
水平・垂直同期信号生成回路１２は、外部入力されるマスタクロックを用いて水平・垂直同期信号などの各種同期信号からなる複合同期信号ＣＳＹＮＣを生成する。、輝度信号及び色差信号形成回路１１が出力する輝度信号ＹＤに加算する加算器である。
【００１７】
輝度信号及び色差信号形成回路１１が出力するＵ信号、Ｙ信号は、変調回路１４に与えられ、変調回路１４は、Ｕ信号、Ｙ信号に基づいて、カラーキャリア（色副搬送波）ＳＣを変調して出力する。尚、カラーキャリアＳＣの周波数ｆＳＣは、ＮＴＳＣ方式ではｆＳＣ≒３．５８ＭＨｚ、ＰＡＬ方式ではｆＳＣ≒４．４３ＭＨｚである。
【００１８】
変調回路１４から出力される信号は、加算器１５に与えられ、この加算器１５にて、カラーバースト位置にカラーバースト信号としてカラーキャリアＳＣを挿入して、デジタルのクロマ信号ＣＤを形成する加算器である。加算器１６は輝度信号ＹＤとクロマ信号ＣＤを加算してデジタルのコンポジット信号ＶＤを形成する。
【００１９】
水平・垂直同期信号生成回路１２から生成された複合同期信号ＣＳＹＮＣは同期信号挿入回路１７に与えられ、加算器１６から与えられたコンポジット信号等に同期信号が挿入され、挿入された信号がデジタルアナログコンバータ（ＤＡＣ）１８で、アナログ変換され、アナログのビデオ信号として出力される。そして、テレビジャック３０には、終端抵抗２２、直流分阻止コンデンサ２３を介してビデオ信号が与えられる。
【００２０】
さて、この発明は、デジタルビデオエンコーダの出力端である電流駆動ＤＡＣ１８のビデオ出力をモニターする。このビデオ信号がテレビジャック３０に周辺機器の接続がされているか検出するための判定回路としてのコンパレータ２０の＋端子に与えられる。そして、コンパレータ２０の−端子には、判定レベルとしての電圧、例えば、２００ｍＶの電圧が与えられている。
【００２１】
この判定レベルは、２００ｍＶと１５０ｍＶとがレジスタにより切り替え可能に構成している。
【００２２】
このコンパレータ１８の出力がフリップフロップ２１に与えられ、フリップフロップ２１のクロックに、図２に示す垂直ブランキング（垂直同期パルス）が与えられる。即ち、垂直ブランキング期間の”Ｌ”レベルにＴＶジャック３０に、周辺機器が接続されているか否か検出する。
【００２３】
デジタルビデオエンコーダの出力端である電流駆動ＤＡＣ１８のビデオ出力のビデオ信号の水平同期信号は、図２に示す信号が出力される。ＴＶジャック３０にＴＶなどの周辺機器が接続されていない場合、図２に示すように、垂直ブランキング期間の水平同期信号の”Ｌ”レベルは、０ｍＶとなり、コンパレータ２０の出力は”Ｌ”となる。この”Ｌ”出力が垂直ブランキング期間にフリップフロップ２１に与えられると、テレビ（ＴＶ）がＴＶジャック３０に接続されていないことが検出される。
【００２４】
フリップフロップ２１より、テレビ（ＴＶ）がＴＶジャック３０に接続されていないことを示す信号を出力すると、電力消費を低減させるために、図示しない外部のコントローラ（ＣＰＵ）は、例えば、デジタルビデオエンコーダのデジタル処理部１１、ＤＡＣ１８、水平・垂直同期信号生成回路１２に対して、スリープ制御を行い、機器の消費電力を少なくするように制御する。
【００２５】
一方、ＴＶジャック３０にＴＶが接続されていると、図２に示すように、水平同期信号の”Ｌ”レベルは、約３００ｍＶ以上となり、コンパレータ２０の出力は”Ｈ”となる。この”Ｈ”出力により、テレビ（ＴＶ）がＴＶジャック３０に接続されているとが検出される。ＴＶが接続されている場合には、機器はスリープ制御を行わず、通常の動作が行われる。
【００２６】
なお、この接続の有無の判定タイミングは、フィールドまたはフレーム単位で行うように、レジスタ等に設定条件を格納しておき、切り替えるように構成できる。
【００２７】
上記のように、垂直ブランキング期間に、コンパレータ２０の出力により、テレビが接続されたもしくは接続が切れたと判定した場合には、ビデオエンコーダ自身のパワーオンオフを自身もしくは、外部（例えばＣＰＵ）から制御すればよい。また、外部からのパワーオンオフ制御を実現する為に、外部に対して、テレビ接続状態変化時にフリップフロップ２１からの信号を割り込み発生として通知するように構成すればよい。
【図面の簡単な説明】
【００２８】
【図１】この発明の実施に形態にかかるデジタルビデオエンコーダ装置のブロック図である。
【図２】水平同期信号を示す図である。
【図３】従来のビデオ周辺機器の接続検出回路を示す回路図である。
【符号の説明】
【００２９】
１０  インターフェース回路
１１  輝度信号及び色差信号形成回路
１２  水平・垂直同期信号生成回路
１４  変調回路
１５、１６  加算器
１７  同期信号挿入回路
１８  デジタルアナログコンバータ（ＤＡＣ）
２１  コンパレータ
２２  フリップフロップ
【図１】
2005094399.tif 000003
【図２】
2005094399.tif 000004
【図３】
2005094399.tif 000005